(57)【要約】【課題】  成形部材が、弾性付勢力によって使用位置に移動することを規制するためにロックされ収納状態が維持されている場合に、不意にそのロックを解除する力が働いてロックが解除されても、成形部材の収納状態を確実に維持することができるまつ毛成形具を提供する。さらに、握り心地及び操作性に優れ、加熱によってまつ毛を成形しやすいまつ毛成形具を提供する。【解決手段】  収納部４に収納された成形部材３が弾性力によって移動することを規制するロック機構が設けられ、且つロック状態を解除するためのボタン６が設けられており、ハンドル２は、不意にロックが解除されたときに、収納されている成形部材３が移動することを阻止するためのストッパー部材７を有し、ストッパー部材７は、成形部材３の移動阻止のために成形部材３の少なくとも一部を覆い、且つその覆った状態を開放して成形部材３の移動阻止を解除できるようにハンドル２に取り付けられている。【選択図】  図３
2015042204.tif 000002
【特許請求の範囲】
【請求項１】
ハンドルと、該ハンドルに取り付けられたまつ毛の成形部材とを含み、成形部材に、まつ毛に宛がいながら成形するための成形部が設けられ、成形部材は、ハンドルに設けられた成形部材用の収納部に収納されるまつ毛成形具において、
成形部材は、収納された状態から使用状態となる位置まで移動が可能であり、且つ成形部材を使用状態の位置方向に弾性的に付勢する手段が設けられており、収納部に収納された成形部材が弾性力によって移動することを規制するロック機構が設けられ、且つロック状態を解除するためのアクチュエータが設けられており、ハンドルは、不意にロックが解除されたときに、収納されている成形部材が移動することを阻止するためのストッパー部材を有し、該ストッパー部材は、成形部材の移動阻止のために成形部材の少なくとも一部を覆い、且つその覆った状態を開放して成形部材の移動阻止を解除できるようにハンドルに取り付けられていることを特徴とするまつ毛成形具。
【請求項２】
成形部材の、収納された状態から使用状態となる位置までの移動は旋回軸線を中心とする旋回移動であり、成形部材は、ハンドルに設けられた成形部材用の収納部に収納されるように折り畳み可能にハンドルに枢支されている請求項１記載のまつ毛成形具。
【請求項３】
ストッパー部材は、旋回可能にハンドルに取り付けられている請求項１又は請求項２記載のまつ毛成形具。
【請求項４】
成形部材が使用状態に置かれたときに、ストッパー部材を元の位置に戻すことにより、そのストッパー部材を把持面の一部として機能させることができる請求項１乃至請求項３のいずれか一項記載のまつ毛成形具。
【請求項５】
ストッパー部材は、横断面がほぼＵ字形をなし、ハンドルの両側面を跨ぐように取り付けられ、ハンドルの両側面の間に設けられた収納部に収納されている成形部材を上から覆う請求項１乃至請求項４のいずれか一項記載のまつ毛成形具。
【請求項６】
収納された成形部材を覆っているストッパー部材の弧状に曲がった屈曲部の頂部であって、ストッパー部材の旋回軸線と反対側の端部に存在する頂部が、その頂部と対向する成形部材又は収納部の開口のいずれからも距離を置いて浮いている請求項５記載のまつ毛成形具。
【請求項７】
成形部材に、まつ毛を加熱しながら成形するための電熱加熱部材が設けられている請求項１乃至請求項６のいずれか一項記載のまつ毛成形具。
【請求項８】
成形部材の周面一側に成形部が設けられ、該成形部が弧状の凹曲面をなすように成形部材が弧状に曲がっている部分を有する請求項７記載のまつ毛成形具
【請求項９】
成形部材の周面一側に成形部が設けられ、該成形部の表面が、鏡面に形成された鏡面状成形部である請求項７又は請求項８記載のまつ毛成形具。
【請求項１０】
成形部材の周面他側に第二の成形部が設けられ、該成形部は、弧状の凸曲面をなし、表面に複数の櫛歯が並んで設けられている櫛歯状成形部である請求項７乃至請求項９のいずれか一項記載のまつ毛成形具。
【発明の詳細な説明】
【技術分野】
【０００１】
本発明は、まつ毛を美しく成形するためのまつ毛成形具に関する。
【背景技術】
【０００２】
まつ毛を成形するためのまつ毛成形具は、２種類存在する。その一つは、対向する一対の細長い挟持部を有し、その挟持部でまつ毛を上下から挟んで強圧することによりまつ毛を成形するものである。他の一つは、細長く延びる成形部の周面の片側をまつ毛に宛がいながら、まつ毛を梳いたり加熱したりすることによりまつ毛を成形するものである。本発明は、後者の、他の一つのまつ毛成形具に関する。
【０００３】
特許文献１や特許文献２のような電熱加熱式のまつ毛成形具は、棒状の成形部材がハンドルの先端から突出しており、キャップを嵌めて携帯等するものである。したがって、折り畳んだりすることができず、まつ毛成形具を短くすることができないから、ハンドバッグ等に入れたときに嵩張るという欠点がある。
【０００４】
そこで、特許文献３のように、成形部材を折り畳み可能として、全長を短くするものが存在する。特許文献３の成形部材は大ぶりに形成されており、櫛歯のみをハンドルに設けられた収納部に収納し、櫛台はハンドルの外側に出ている構成である。このような構成であるから、折り畳まれている成形部材を開くときは、ハンドルの外側に出ている櫛台を指で摘んで容易に開くことができる。
【０００５】
これに対して、特許文献１や特許文献２のような電熱加熱式のまつ毛成形具の成形部材は細長い棒状であるから、このような成形部材を折り畳み式とすれば、成形部材のほとんどの部分がハンドルに設けられた収納部に収納されるので、指で成形部材を摘みづらく、容易に開くことができない。そこで、成形部材を開く方向に弾性的に付勢し、収納部に収納したときにロック可能とし、ボタン操作によってそのロックを解除することにより成形部材を自動的に開く構成とすれば、指で成形部材を摘むことなく成形部材を開くことができる。しかし、このようなまつ毛成形具をハンドバッグ等に入れて携帯する場合には、振動などによってボタンが押された場合にロックが外れて成形部材が開いてしまう虞がある。
【先行技術文献】
【特許文献】
【０００６】
【特許文献１】特開２００５ー１９３０２０号公報
【特許文献２】特開２００１−１２０３３３号公報
【特許文献３】特開２００２ー１２５７４３号公報
【発明の概要】
【発明が解決しようとする課題】
【０００７】
本発明は、ハンドルに設けられた収納部に収納されている成形部材が、弾性付勢力によって使用位置に移動することを規制するためにロックされた収納状態が維持されている場合に、不意にそのロックを解除する力が働いてロックが解除されても、成形部材の収納状態を確実に維持することができるまつ毛成形具を提供することを、その課題とする。
【課題を解決するための手段】
【０００８】
請求項１記載の発明は、ハンドルと、該ハンドルに取り付けられたまつ毛の成形部材とを含み、成形部材に、まつ毛に宛がいながら成形するための成形部が設けられ、成形部材は、ハンドルに設けられた成形部材用の収納部に収納されるまつ毛成形具において、成形部材は、収納された状態から使用状態となる位置まで移動が可能であり、且つ成形部材を使用状態の位置方向に弾性的に付勢する手段が設けられており、収納部に収納された成形部材が弾性力によって移動することを規制するロック機構が設けられ、且つロック状態を解除するためのアクチュエータが設けられており、ハンドルは、不意にロックが解除されたときに、収納されている成形部材が移動することを阻止するためのストッパー部材を有し、該ストッパー部材は、成形部材の移動阻止のために成形部材の少なくとも一部を覆い、且つその覆った状態を開放して成形部材の移動阻止を解除できるようにハンドルに取り付けられている構成である。
【０００９】
請求項２記載の発明は、成形部材の、収納された状態から使用状態となる位置までの移動は旋回軸線を中心とする旋回移動であり、成形部材は、ハンドルに設けられた成形部材用の収納部に収納されるように折り畳み可能にハンドルに枢支されている構成である。
【００１０】
請求項３記載の発明は、ストッパー部材が、旋回可能にハンドルに取り付けられている構成である。
【００１１】
請求項４記載の発明は、成形部材が使用状態に置かれたときに、ストッパー部材を元の位置に戻すことにより、そのストッパー部材を把持面の一部として機能させることができる構成である。
【００１２】
請求項５記載の発明は、ストッパー部材の横断面がほぼＵ字形をなし、ハンドルの両側面を跨ぐように取り付けられ、ハンドルの両側面の間に設けられた収納部に収納されている成形部材を上から覆う構成である。
【００１３】
請求項６記載の発明は、収納された成形部材を覆っているストッパー部材の弧状に曲がった屈曲部の頂部であって、ストッパー部材の旋回軸線と反対側の端部に存在する頂部が、その頂部と対向する成形部材又は収納部の開口のいずれからも距離を置いて浮いている構成である。
【００１４】
請求項７記載の発明は、成形部材に、まつ毛を加熱しながら成形するための電熱加熱部材が設けられている構成である。
【００１５】
請求項８記載の発明は、成形部材の周面一側に成形部が設けられ、該成形部が弧状の凹曲面をなすように成形部材が弧状に曲がっている部分を有している構成である。
【００１６】
請求項９記載の発明は、成形部材の周面一側に成形部が設けられ、この成形部の表面が、鏡面に形成された鏡面状成形部である構成である。
【００１７】
請求項１０記載の発明は、成形部材の周面他側に第二の成形部が設けられ、この成形部は、弧状の凸曲面をなし、表面に複数の櫛歯が並んで設けられている櫛歯状成形部である構成である。
【発明の効果】
【００１８】
請求項１記載の発明は、収納部に収納された成形部材が弾性力によって移動することを規制するロック機構が設けられ、且つロック状態を解除するためのアクチュエータが設けられており、ハンドルは、不意にロックが解除されたときに、収納されている成形部材が移動することを阻止するためのストッパー部材を有している。したがって、本発明は、成形部材が自然に移動することを阻止するロック機構とストッパー部材の二重の規制手段を有しており、不意にロックが解除されても成形部材が飛び出すことがないのである。また、ストッパー部材は、成形部材の移動阻止のため成形部材の少なくとも一部を覆い、且つその覆った状態を開放して成形部材の移動阻止を解除できるようにハンドルに取り付けられている。したがって、成形部材を収納した状態で、ストッパー部材を含めてハンドルを持ち易い形状としておけば、成形部材を移動させて使用状態としたときに、ストッパーを元の状態に復帰させることにより持ち易い形状とすることもできる。
【００１９】
請求項２記載の発明は、成形部材の、収納された状態から使用状態となる位置までの移動は旋回軸線を中心とする旋回移動であり、成形部材は、ハンドルに設けられた成形部材用の収納部に収納されるように折り畳み可能にハンドルに枢支されている。成形部材を収納部に収納する折畳み式であるから、不使用時には成形部材を折り畳んでまつ毛成形具の長さを容易に短くすることができる。また、ハンドバッグ等に入れて携帯するときに、折り畳んで長さを短くすることにより、コンパクトに収納することができる。
【００２０】
請求項３記載の発明は、ストッパー部材が、旋回可能にハンドルに取り付けられている。したがって、ストッパー部材によるストッパー機能の係脱を、ストッパー部材を旋回させることによって行うことができるから、容易に操作することができる。
【００２１】
請求項４記載の発明は、成形部材が使用状態に置かれたときに、ストッパー部材を元の位置に戻すことにより、そのストッパー部材を把持面の一部として機能させることができる。把持面とは、まつ毛成形具の使用時において、使用者の手と接触し得る面である。把持面は、ハンドルの表面の一部であるが、特に把持面と呼ばれるからには、使用時に手がその把持面に当たったときに、使用者に不快感や痛みを感じさせることのない、あるいは、使用しづらい不自然な持ち方を強要することのないような、使用者に快適な感覚を与えることが内包された面である。ストッパー部材を把持面の一部として機能させる構成とすることによりハンドルを握った使用者の手に快適な感覚を与えることができる。したがって、請求項４記載の発明は、成形部材が使用状態に置かれたときに、使用者の手に快適な感覚を与えることができるまつ毛成形具を提供することできる。
【００２２】
請求項５記載の発明は、ストッパー部材の横断面がほぼＵ字形をなし、ハンドルの両側面を跨ぐように取り付けられ、ハンドルの両側面の間に設けられた収納部に収納されている成形部材を上から覆っている。ハンドルの両側面の間に設けられた収納部に収納されている成形部材を上から覆っているので、成形部材が弾性力で不意に飛び出すことを阻止することができる。また、ストッパー部材の横断面がほぼＵ字形であるから、ストッパー部材の屈曲表面は滑らかな弧状面となり、使用時にその部分に手が当たったときに良好な感覚を与えることができる。
【００２３】
請求項６記載の発明は、収納された成形部材を覆っているストッパー部材の弧状に曲がった屈曲部の頂部であって、ストッパー部材の旋回軸線と反対側の端部に存在する頂部が、その頂部と対向する成形部材又は収納部の開口のいずれからも距離を置いて浮いている。したがって、例えば、ハンドルを持った手の親指を、ストッパー部材の旋回軸線と反対側の端部に存在する頂部に引っ掛けて、ストッパー部材を突き上げるように旋回させて半開きとし、それから他方の手でストッパー部材を開くように容易に旋回させることができる。最初から他方の手でストッパー部材の両側面をつまんで旋回させることもできるが、指先が滑ることもあるので、まずストッパー部材の前記頂部に親指を引っ掛けて半開きにする方が確実に旋回させることができる。
【００２４】
請求項７記載の発明は、成形部材に、まつ毛を加熱しながら成形するための電熱加熱部材が設けられているので、熱によりまつ毛を確実に成形することができる。
【００２５】
請求項８記載の発明は、成形部材の周面一側に成形部が設けられ、該成形部が弧状の凹曲面をなすように成形部材が弧状に曲がっている部分を有する。成形部が弧状の凹曲面をなしているので、その凹曲面がまつ毛にフィットし、アイロンのようにしてまつ毛に当ててまつ毛を全体的に成形することができる。
【００２６】
請求項９記載の発明は、成形部の表面が、鏡面に形成された鏡面状成形部である。したがって、その鏡面に付着したマスカラの除去が楽である。
【００２７】
請求項１０記載の発明は、成形部材の周面他側に第二の成形部が設けられ、この成形部は、弧状の凸曲面をなし、表面に複数の櫛歯が並んで設けられている櫛歯状成形部である。したがって、櫛歯を使用してまつ毛を梳くことができる。
【図面の簡単な説明】
【００２８】
【図１】成形部材を開いた状態の正面図である。
【図２】成形部材を閉じた状態の正面図である。
【図３】ストッパー部材を開いた状態の斜視図である。
【図４】ハンドルの内部を示す斜視図である。
【図５】成形ヘッドの斜視図である。
【図６】成形ヘッドを櫛状成形部側から見た図である。
【図７】加熱部の斜視図である。
【図８】一方の半割ハンドルを分離させた斜視図である。
【図９】一方の半割ハンドルの前端付近の斜視図である。
【図１０】成形部材を閉じた状態における半割ハンドルを分離させた斜視図である。
【図１１】成形部材の基部の斜視図である。
【図１２】成形ヘッドを取り外した成形部材の斜視図である。
【図１３】他方の半割ハンドルの内側から見た斜視図である。
【発明を実施するための形態】
【００２９】
以下、本発明の実施形態について、図面を参照しながら説明する。実施形態のまつ毛成形具１は、電熱加熱式のまつ毛成形具である。図１に示すように、まつ毛成形具１は、ハンドル２の先端に細長い成形部材３が取り付けられている。また、図２に示すように成形部材３は折り畳み可能にハンドル２に取り付けられている。後述するように、成形部材３は、ハンドル２に旋回可能に枢支され、旋回させることにより折り畳むことができる。また、図３に示すように、ハンドル２には、成形部材３を折り畳んで収納するための収納部４が形成され、ハンドル２の底部に収納部４の開口５が開いている。使用状態に開いた成形部材３を旋回させることにより、成形部材３を、開口５を介して収納部４の中に折り畳むことができる。図２に示すように、本実施形態では、成形部材３はほぼ完全に収納部４の中に収納されているが、成形部材３の一部が収納部４からはみ出ていてもよい。成形部材３がはみ出ているときに、少なくとも成形ヘッド８は収納部４の中に納まっていることが好ましい。
【００３０】
後述するように、成形部材３は、使用状態の開かれた位置方向に弾性的に付勢されている。また、折り畳まれた成形部材３が、折り畳まれた状態を維持するために、開かれた位置方向に旋回することを規制するためのロック機構が設けられている。ボタン６は、そのロックを解除するためのアクチュエータであり、ボタン６を押すことによりロックが解除され、成形部材３は、付勢力により使用状態の開かれた位置方向まで一気に旋回する。符号７は、ストッパー部材であり、成形部材３が折り畳まれているときに、不意にボタン６が押されて成形部材３が突然飛び出すことを阻止するためのものであり、ハンドル２に旋回可能に取付けられている。
【００３１】
成形部材３は、合成樹脂で形成されている。図１に示すように、成形部材３は、その一部として成形ヘッド８を有する。また、図５及び図６に示すように、成形ヘッド８は独立した部材として形成されている。成形ヘッド８の一側に櫛状成形部９が形成され、他側に鏡面状成形部１０が形成されている。成形部材３の先端には、三角形をなす一対の小さなツノ片１１，１１が一体に形成されている。また、成形ヘッド８の内部に線状の加熱部１２が配置されている。なお、成形ヘッド８を成形部材３と一体に成形してもよいことは言うまでもない。
【００３２】
図５に示すように、成形ヘッド８に形成された櫛状成形部９は形状の異なる二種類の櫛歯が交互に並んでいる。一方の櫛歯１５はその上面が三角形をなしており、他方の櫛歯１６の上面は緩やかな弧状をなしており、一方の櫛歯１５は他方の櫛歯１６よりも高く形成されている。櫛状成形部９は、マスカラの付いたまつ毛を梳くために使用される。また、鏡面状成形部１０は、まぶたのカーブに合わせた形状で熱が伝わるように設計されており、アイロンのようにしてまつ毛を下から押し上げて使用する。鏡面状成形部１０は、文字通り表面が鏡面のように仕上げられているので、その鏡面に付着したマスカラの除去が楽である。ツノ片１１，１１は、マスカラでまつ毛同士が付いたときに、まつ毛同士を離して分けるときなどに使用される。すなわち、まつ毛を部分的に整えたり修正したりするときなどに使用される。なお、櫛歯の構成は以上のものに限定されるものでなく、例えば、同じ形状や同じ高さの櫛歯を複数並べて配置してもよく、３種類以上の櫛歯を配列してもよい。
【００３３】
図７に示すように、加熱部１２は、金属製の芯線１３の周囲にニクロム線１４を螺旋状に巻き付けたものである。芯線１３の表面は絶縁材が被覆され、ニクロム線１４を流れる電流が芯線１３に流れ出ることを防止している。芯線１３を使用することにより、螺旋状のニクロム線１４が大きく変形したり移動したりすることを防止することができる。また、加熱部１２は先端部で二つ折りにされているので、成形部材３の内部には二本の加熱部１２が存在する。図６に示すように、二つ折りにされた二本の加熱部１２の一方の加熱部１２は、櫛状成形部９側に存在して各櫛歯１５，１６の間から覗いている。他方の加熱部１２は、一方の加熱部１２の後ろ側にあって鏡面状成形部１０に近接した内側を通っている。また、この鏡面状成形部１０に近接した内側を通る加熱部１２を、鏡面状成形部１０の弧状の凹曲面と平行に延びるように配置することにより、鏡面状成形部１０のどの部分でも均一にまつ毛を加熱できるようにするのが好ましい。このように加熱部１２は二つ折りにされているので、加熱部１２が通電されたとき、櫛状成形部９と鏡面状成形部１０の両方が加熱される。
【００３４】
図１２に示すように、成形部材３の基部１７の一方の側面には、成形部材３に旋回付勢力を与えるためのコイル状の旋回付勢バネ１８が取り付けられている。旋回付勢バネ１８の中心軸線は、成形部材３の旋回軸線と一致する。旋回付勢バネ１８の一方のバネ端（図示せず。）は基部１７に固定されており、他方のバネ端１９は直角に曲げられている。また、基部１７には、成形部材３の旋回軸線方向に延びる軸孔２０が設けられている。図１３に示すように、半割ハンドル２１には軸部２２が形成されており、この軸部２２と成形部材３の軸孔２０とが遊嵌することにより、成形部材３はハンドル２に対して軸部２２を中心に旋回する。また、成形部材３に取り付けられている旋回付勢バネ１８のバネ端１９が、半割ハンドル２１の内面に設けられたスリット２３に係合することにより、成形部材３に旋回付勢力が付与される。
【００３５】
図３に示すように、ハンドル２にストッパー部材７が旋回可能に取り付けられている。使用状態にある成形部材３を折り畳むとき、あるいは折り畳まれている成形部材３を使用状態に旋回させるときは、いずれもこの図３のように、ストッパー部材７を開いて行う。そして、成形部材３を使用するとき、及び使用した成形部材３を折り畳んだときのいずれの場合においても、開いたストッパー部材７は図１及び図２に示すように閉じる。ストッパー部材７の内面には一対の突起２４が形成され、その突起２４に対応するハンドル２の表面に一対の窪み２５が形成されているので、ストッパー部材７を閉じたときに突起２４が窪み２５に係止する。そして、その係止力は、成形部材３を開かせるための旋回付勢バネ１８の付勢力よりも大きいので、ストッパー部材７が開くことを防止する。
【００３６】
ストッパー部材７は、断面がＵ字形の板状に形成されている。また、そのＵ字形の屈曲部分の表面は滑らかな弧状をなしている。さらに、Ｕ字形の縦方向の中心線に関し左右対称の形状をなしている。図１に示すように、ストッパー部材７の頂部により構成される頂部ライン２６と、ハンドル２の底部により構成される底部ライン２７とは、その境界でストッパー部材７の頂部がハンドル２の底部よりも浮いてやや段差を有するものの、一定の流れを有するラインを構成している。また、成形部材３を折り畳んだ状態と、成形部材３を開いた使用状態のいずれの場合においても、ストッパー部材７のハンドル２に対する位置関係は同じである。したがって、使用時にハンドル２を手に持って、指がストッパー部材７の表面に当たったときに、ストッパー部材７に当たった指に違和感がなく、ストッパー部材７の屈曲部の表面が滑らかな弧状をなしていることもあって、ストッパー部材７の表面を含めた一つの把持面として認識することができる。したがって、使用時にストッパー部材７が指に痛みを与えることがなく、ストッパー部材７が不自然な握り方を強要することもない。さらに、図３に示すように、ハンドル２の側面に、ストッパー部材７の形状に適応する凹所２８を形成することにより、ハンドル２の表面とストッパー部材７の表面の段差をなくしたり小さくしたりすることができるから、さらに違和感なくハンドル２を持つことができる。
【００３７】
前述したように、成形部材３は、使用状態の開かれた位置方向に弾性的に付勢されている。また、折り畳まれた成形部材３が、折り畳まれた状態を維持するために、開かれた位置方向に旋回することを規制するためのロック機構が設けられている。ボタン６は、そのロックを解除するためのアクチュエータであり、ボタン６を押すことによりロックが解除され、成形部材３は、付勢力により使用状態の開かれた位置方向まで一気に旋回する。ここで、まずロック機構について説明する。図４に示すように、成形部材３の基部１７の他方の側面に、ボタン６に付勢力を与えるためのコイル状のボタン付勢バネ２９が取り付けられる。ボタン付勢バネ２９の中心軸線は、成形部材３の旋回軸線と一致する。図１０に示すように、ボタン６は成形部材３の基部１７の他方の側面に取り付けられており、ボタン６の内部にボタン付勢バネ２９が収納され、ボタン６を弾力的に付勢している。図８〜図１０に示すように、半割ハンドル３０にはボタン６を半割ハンドル３０の表面に覗かせるためのボタン孔３１が形成されている。ボタン６の底部にはフランジ３２が形成されているので、ボタン６がボタン孔３１から抜け出すことはない。また、ボタン６は十字形に形成され、ボタン孔３１も十字形に形成されているから、ボタン６はハンドル２に対して回転しない。なお、ボタン６を回転させない構成として、他の構成を利用してもよいことは勿論である。
【００３８】
図１０及び図１１は、成形部材３が折り畳まれている状態を示している。図１１に示すように、成形部材３が折り畳まれているときは、ボタン６は成形部材３の基部１７の側面からやや浮いている。浮いているのは、ボタン付勢バネ２９の付勢力による。この状態のとき、係止突起３５が基部１７の側面から突出している。係止突起３５は垂直方向に移動可能で、基部１７の内部でコイルバネにより付勢力を付与されて弾力的に突出方向に押圧されている。したがって、係止突起３５を上から押圧すると下降する。係止突起３５の一方の側に垂直壁面３６が形成され、他方の側に傾斜壁面３７が形成されている。成形部材３が折り畳まれているときは、フランジ３２に形成されている切欠き３３内を通過して図９に示す半割ハンドル３０の係止壁３４が係止突起３５の垂直壁面３６に係止する。これにより、成形部材３は折り畳まれた状態にロックされる。
【００３９】
次に、折り畳まれた状態にロックされている成形部材３のロック状態が、ボタン６を押すことにより解除される機構について説明する。前述したように、図１１はボタン６が浮いて成形部材３がロック状態にあるが、ここからボタン６を押すとボタン６のフランジ３２が係止突起３５を押して下降させる。係止突起３５がその半分ほど下降すると、半割ハンドル３０の係止壁３４に係止していた垂直壁面３６も下降して係止壁３４から外れるので、それにより係止状態が解除され成形部材３は付勢力により使用位置まで一気に旋回する。図９に示すように、半割ハンドル３０には障害突起３８が形成されており、成形部材３の旋回中に、係止突起３５の垂直壁面３６が、旋回付勢バネ１８の付勢力により、障害突起３８の傾斜面３９を乗り越えて使用状態まで旋回する。この障害突起３８を形成した理由は、図１に示すように、まつ毛を成形するときは櫛状成形部９を使用する場合と鏡面状成形部１０を使用する場合がある。鏡面状成形部１０を使用するときに、成形部材３にはそれが閉じる方向へ旋回させる力がまつ毛から加わるので、使用中に成形部材３がわずかではあるが閉じる方向へ旋回する可能性がある。そこで、障害突起３８を形成することにより、使用中に、係止突起３５の傾斜壁面３７がその障害突起３８に当たって成形部材３の旋回を阻止することができる。なお、傾斜壁面３７は文字通り傾斜面であるから、手の力によって成形部材３を閉じる方向へ旋回させたときは、その傾斜壁面３７が障害突起３８を乗り越えて旋回することは言うまでもない。
【００４０】
また、本実施形態のまつ毛成形具１は、成形部材３を使用状態に開いたときに、自動的にニクロム線１４に乾電池４０から電流が流れて加熱され、成形部材３を折り畳んだときに自動的に電流が切れる構造を有するので、以下この構造について説明する。図１２は、ニクロム線１４に電流が流れている状態を示している。すなわち、成形部材３は使用状態に開かれている。なお、図１２は、加熱部１２のニクロム線１４の取付け状態を表わすために、成形ヘッド８を取り外した状態を示しており、加熱部１２を両側から挟持して固定するためのプラスチック製固定部材４４が露出している。すなわち、成形ヘッド８の内部に加熱部１２及び固定部材４４を嵌挿することにより、成形ヘッド８は着脱可能に成形部材３の一部として取り付けられる。符号４１，４１はハンドル２に取り付けられる通電端子であり、通電部材（図示せず。）を介して乾電池４０とつながっている。また、符号４２は成形部材３の基部１７に取り付けられた通電板であり、基部１７の両側に一対取り付けられ、それぞれニクロム線１４とつながっている。通電端子４１と通電板４２が接触することによりニクロム線１４に電流が通電される。そして、図１０及び図１１は成形部材３が折り畳まれた状態を示しており、図から明らかなように通電端子４１と通電板４２とが非接触状態となり、ニクロム線１４に電流が流れず加熱されない。また、図８に示す符号４３は温度調節ボタンであって、温度調節ボタン４３を左右いずれかに移動させることによって、ニクロム線１４の温度を調節することができる。温度の調節は、乾電池４０と通電端子４１とをつなぐ通電部材に抵抗（図示せず。）を介在させ、温度調節ボタン４３の位置によって抵抗の大きさを切り換えることにより、温度を調節することができる。温度調節の温度としては４０℃〜９０℃の間で任意に選択可能で、本実施形態のように２段階で温度切替ができる場合は、例えば８０℃と６０℃の２種類に温度設定ができるようにしてもよい。また、３種類以上の温度設定ができるようにしてもよい。また、段階的に温度を切り替える構成に代えて、ダイヤルによって連続的に温度を調節できる構成としてもよい。温度調節機能を設けず、一定の温度で加熱する構成であってもよい。
【産業上の利用可能性】
【００４１】
弾性的付勢力によって成形部材が自動的に開く折り畳み式のまつ毛成形具であって、折り畳まれた成形部材が不意に開くことを確実に阻止し、且つ使用時に握り心地の良いまつ毛成形具を提供することができる。また、加熱によるまつ毛成形部を備えることにより、まつ毛を成形しやすいまつ毛成形具を提供することができる。
【符号の説明】
【００４２】
１  まつ毛成形具、    ２  ハンドル、    ３  成形部材、    ４  収納部、    ５  開口、    ６  ボタン、    ７  ストッパー部材、    ８  成形ヘッド、    ９  櫛状成形部、    １０  鏡面状成形部、    １１  ツノ片、    １２  加熱部、    １３  芯線、    １４  ニクロム線、    １５  一方の櫛歯、    １６  他方の櫛歯、    １７  成形部材の基部、    １８  旋回付勢バネ、    １９  バネ端、    ２０  軸孔、    ２１  半割ハンドル、    ２２  軸部、    ２３  スリット、    ２４  突起、    ２５  窪み、    ２６  頂部ライン、    ２７  底部ライン、    ２８  凹所、    ２９  ボタン付勢バネ、    ３０  半割ハンドル、    ３１  ボタン孔、    ３２  フランジ、    ３３  切欠き、    ３４  係止壁、    ３５  係止突起、    ３６  垂直壁面、    ３７  傾斜壁面、    ３８  障害突起、    ３９  傾斜面、    ４０  乾電池、    ４１  通電端子、    ４２  通電板、    ４３  温度調節ボタン
【図１】
2015042204.tif 000003
【図２】
2015042204.tif 000004
【図３】
2015042204.tif 000005
【図４】
2015042204.tif 000006
【図５】
2015042204.tif 000007
【図６】
2015042204.tif 000008
【図７】
2015042204.tif 000009
【図８】
2015042204.tif 000010
【図９】
2015042204.tif 000011
【図１０】
2015042204.tif 000012
【図１１】
2015042204.tif 000013
【図１２】
2015042204.tif 000014
【図１３】
2015042204.tif 000015